(57)【要約】      （修正有）【課題】装飾品としてだけでなく、洗髪後の髪の毛を迅速に乾燥させることができるようにする髪束用具を提供する。【解決手段】吸水性に富んだ、少なくとも一枚の細長な生地２を袋状にし、両端を縫合して短円筒形状としたリング体３の一方端部内に、ゴム状の無端絞り紐４を、一部を外部に導出させて周回させ、且つ孔を開設したストッパー５の孔に前記した導出された無端絞り紐４を夫々挿通した構成であり、湿った髪の毛の束をリング体３の中心孔に通し、ストッパー５を保持した状態で無端絞り紐４を引き出し、短円筒形状のリング体３をすぼめることができる。【選択図】図１
0003161889.tif 000002
【実用新案登録請求の範囲】
【請求項１】
吸水性に富んだ、少なくとも一枚の細長な生地（２）を袋状にし、両端を縫合して短円筒形状としたリング体（３）の一方端部内に、ゴム状の無端絞り紐（４）を、一部を外部に導出させて周回させ、且つ孔（６）を開設したストッパー（５）の孔（６）に前記導出された無端絞り紐（４）を挿通したことを特徴とするシュシュ。
【考案の詳細な説明】
【技術分野】
【０００１】
本考案は、主として毛髪を束ねるのに使用されるシュシュに関するものである。
【背景技術】
【０００２】
頭飾品として或いはブレスレット代わりとして、シュシュが女性に広く用いられており、特に毛髪を束ねる実用装飾品として以下の如き考案の提案がある。
【先行技術文献】
【特許文献】
【０００３】
【特許文献１】実公平６−２１３６２号公報
【特許文献２】登録実用新案第３０３３３０６号公報
【考案の概要】
【考案が解決しようとする課題】
【０００４】
この特許文献１の考案「多目的頭飾髪止め装具」は弾性芯材を外周被覆体内に入れ、リング状の外周被覆体で毛髪を束ねようとする構成であり、様々な形態で髪飾りとなるとするものであるが、単に弾性芯材の弾性収縮により毛髪を束ねるに過ぎず、外周被覆体は装飾としての機能だけである。
【０００５】
また特許文献２の考案「髪束用シュシュ」は、筒状の布状体の両端をゴムヒモで絞って二つのゴム口を形成し、ゴム口に髪止めを係止可能な係止具を縫い付けた構成であり、髪を束ねるパターンを増やすことにより装飾的効果を高めることができる、としているが、二本のゴムヒモを用いなければならない点で構造や装着操作が複雑となり、しかも装飾効果だけしか期待できない。
【０００６】
シュシュは、上記したように装飾品としての利用があるものの、洗髪後の髪の毛の乾燥にも用いられるようにすることができれば更に実用的な観点からも有効である。従来は、風呂上がりや洗髪後に髪の毛を拭くためにターバン状にタオル等を巻いていたのであるが、装飾的な意味合いはない。
【０００７】
よって本考案は、上述した従来技術の欠点、不都合、不満を解消するべく開発されたシュシュであって、装飾品としてだけでなく、洗髪後の髪の毛を迅速に乾燥させることができるようにすることを目的とする。
【課題を解決するための手段】
【０００８】
上記課題を解決するため、本考案のシュシュは、吸水性に富んだ、少なくとも一枚の細長な生地を袋状にし、両端を縫合して短円筒形状としたリング体の一方端部内に、ゴム状の無端絞り紐を、一部を外部に導出させて周回させ、且つ孔を開設したストッパーの孔に前記した導出された無端絞り紐を挿通したことを特徴とする。
【考案の効果】
【０００９】
上記した本考案のシュシュにあって、ストッパーを保持した状態でゴム状の無端絞り紐を引き出すと必然的に短円筒形状のリング体の口径がすぼまるが、ゴム状の無端絞り紐はリング体の一方端部内にのみ周回設されているだけであるので、生地に皺は寄るもののリング体の他方端は殆ど変形せず、平板なリング形状となる。また、導出された無端絞り紐はストッパーの孔に挿通されているので、引き出された絞り紐はこのストッパーに係止して収縮力が抑えられ、平板なリング形状が維持される。従って、風呂上がりや洗髪後にこの形態で髪の毛を拭けば、吸水性に富んでいるため、水分を或る程度拭いとることができるのである。
【００１０】
そして、湿った髪の毛の束をリング体の中心孔に通し、絞り紐を絞ってリング体の口径を更にすぼませ、捻るなどして髪の毛をまとめれば、湯上り後、洗髪後の水分が滴り落ちないようにしながら吸水する。また、ゴムのみで髪の毛を束ねる場合に比べて、結び跡が癖になってしまうことがない。しかも本考案のシュシュを装着した状態では、充分に装飾品としての効果を得ることもできる。
【００１１】
また、使用後はストッパーを戻して絞り紐を弾性復帰させて緩めれば、全体として広がった伸びた状態となるので乾燥し易いものになり、広げた状態ではヘアバンド等として、絞った状態では髪飾りやブレスレット等の装飾品としても利用できる等、本考案は多くの優れた作用効果を奏する。
【図面の簡単な説明】
【００１２】
【図１】本考案にかかるシュシュの一例を示す絞り紐を絞った状態の平面図である。
【図２】絞り紐を絞らない状態の斜視図である。
【図３】シュシュの正面図である。
【図４】本考案にかかるシュシュを髪の毛に装着した状態を示す説明図である。
【図５】ストッパーの分解した状態を示す拡大斜視図である。
【図６】ストッパーの拡大断面図で、（ａ）は絞り状態、（ｂ）は弛めた状態を示す。
【考案を実施するための形態】
【００１３】
本考案のシュシュ１は、吸水性に富んだ、少なくとも一枚の細長な生地２を袋状にし、両端を縫い合わせて短円筒形状としたリング体３を構成したもので、このリング体３の一方端部内に、ゴム状の無端絞り紐４を、一部を外部に導出させて周回設させ、導出された無端絞り紐４をストッパー５に開設された孔６に挿通した構成である。
【実施例】
【００１４】
リング体３を構成する生地２は、吸水性に富んだ生地が採用される。一枚の細長な生地２を袋状にして縫合することにより構成するが、ポリエステルや天然ゴムで成形される絞り紐４を絞ると変形し易いため、リング体３の形態をアレンジすることにより様々な装飾性を形成することができる。また、絞り紐４の絞り量を調節することにより、毛髪の多寡、包み込み形態に対応することができる。
【００１５】
リング体３の他方端周縁にはポリエステル製のフリル片７が周設されていて、張りのある形状を維持すると共に、更なる装飾性を高めている。
【００１６】
ストッパー５は、例えばナイロンや金属で成形される球状の本体８と押しボタン９とコイルスプリング１０とから構成される。本体８には、孔６を貫通開設すると共に、この貫通孔６に直交する形態で操作穴１１を設ける。操作穴１１に上下スライド自在に嵌合する押しボタン９にも径方向に沿って係止孔１２が貫通開設されており、コイルスプリング１０は孔６の内周面と押しボタン９の下面に弾接する形態で配される。
【００１７】
そこで、本体８内に操作穴１１からコイルスプリング１０と押しボタン９とを組み込み、無端状の二本の絞り紐４を孔６及び係止孔１２に挿通すると、コイルスプリング１０の弾力により押しボタン９は上昇し、二本の絞り紐４は本体８と押しボタン９とにより挟持され、絞り紐４の絞り状態が維持される（図６（ａ）参照）。
【００１８】
また、絞り紐４を更に絞り或いは弛めようとする場合には、押しボタン９をコイルスプリング１０の弾力に逆らって押し下げれば、二本の絞り紐４の挟持は解かれるので（図６（ｂ）参照）、絞り紐４の絞り量を調節することができるのである。
【００１９】
絞り紐４の端部にはポリプロピレン製のボール状のビーズ１３が装着されてあり、一方の指でストッパー５を摘まんで絞り紐４を絞る際に他方の指でのひっかけが容易となるようになっている。
【符号の説明】
【００２０】
１  シュシュ
２  生地
３  リング体
４  無端絞り紐
５  ストッパー
６  孔
７  フリル片
８  本体
９  押しボタン
１０  コイルスプリング
１１  操作穴
１２  係止孔
１３  ビーズ
【図１】
0003161889.tif 000003
【図２】
0003161889.tif 000004
【図３】
0003161889.tif 000005
【図４】
0003161889.tif 000006
【図５】
0003161889.tif 000007
【図６】
0003161889.tif 000008